(57)【特許請求の範囲】
【請求項１】
温度を検知する素子を有して筒状に形成される素子部と前記素子部に接続されるリード線とを有した温度センサにより貯蔵室の室内温度を検知する冷蔵庫において、
前記温度センサは前記素子部の軸方向を鉛直に配して前記貯蔵室の壁面に設けた凹部内に設置されるとともに、前記素子部が前記凹部の上面を貫通して前記リード線と前記素子部との境界を前記凹部の上面よりも上方に配置したことを特徴とする冷蔵庫。
【請求項２】
発泡断熱材を充填して前記貯蔵室を形成する断熱箱体と、前記断熱箱体に凹設して前記貯蔵室に面して開口する配線収納部と、前記凹部を形成して前記配線収納部の開口を塞ぐパネルと、前記断熱箱体内に埋設されて前記配線収納部に設けた取出し口から引き出されるとともに前記リード線に接続される埋設電線とを備え、前記取出し口と前記凹部とを前記配線収納部の同じ側に偏って配置したことを特徴とする請求項１に記載の冷蔵庫。
【請求項３】
前記パネルの中央部に凹設して照明灯が配される照明部と、前記照明部の前面を覆うとともに通気孔を有した透光性の照明カバーとを備え、前記取出し口と前記凹部とを前記照明部に対して一方に偏って配置したことを特徴とする請求項２に記載の冷蔵庫。
【請求項４】
前記凹部が樹脂成形品から成り、前記凹部の上面を弾性変形可能な膜状に形成したことを特徴とする請求項１〜請求項３のいずれかに記載の冷蔵庫。
【請求項５】
前記凹部の上面よりも上方に前記リード線が嵌合する挿通孔を有したリード線支持部を設け、前記リード線支持部は弾性変形可能な膜状に形成された樹脂成形品から成ることを特徴とする請求項１〜請求項４のいずれかに記載の冷蔵庫。
【請求項６】
一端に開口部を有する有底筒状のキャップにより前記素子部を覆い、前記リード線が配される前記開口部を熱硬化性樹脂により封止したことを特徴とする請求項１〜請求項５のいずれかに記載の冷蔵庫。
【発明の詳細な説明】
【技術分野】
【０００１】
本発明は、貯蔵室の室内温度を検知する温度センサを備えた冷蔵庫に関する。
【背景技術】
【０００２】
従来の冷蔵庫は特許文献１に開示されている。この冷蔵庫は貯蔵室の背壁に設けた通気孔に面して背壁の裏面側に温度センサが設けられる。温度センサは素子部及びリード線を有している。素子部は温度を検知する素子を有して筒状に形成される。リード線は素子部に接続して引き出され、塩化ビニル等の被膜が施される。
【０００３】
温度センサは素子部の軸方向を鉛直にして接続部を下方に配し、下方に延びるリード線はＵ字状に曲げた水切り部を介して上方に導かれる。貯蔵室内にこぼれた水が通気孔を介して温度センサに付着した際に、素子部及びリード線を伝って流下して水切り部で水切りされる。従って、リード線と素子部との境界から素子部内への浸水を防止することができる。
【０００４】
【特許文献１】特開平７−２７００５５号公報（第２頁−第４頁、第２図）
【発明の開示】
【発明が解決しようとする課題】
【０００５】
冷蔵庫は国際安全規格ＩＥＣ６０３３５−１「家庭用及び類似用との電気機器の安全性  パート１：一般要求」及び国際安全規格ＩＥＣ６０３３５−２−２４「家庭用及び類似用との電気機器の安全性  パート２：冷蔵類似機器及びアイスクリーム・製氷機器に関する個別要求」の１５．１０１項、１５．１０２項において、最も不利な方法によって水がかかるように試験して電気絶縁物に影響を及ぼさないような構造が要求される。
【０００６】
しかしながら、上記従来の冷蔵庫によると、筒状の素子部とリード線との境界に表面張力によって長期間水滴が付着することにより、素子部内に浸水する可能性がある。このため、上記の国際安全規格を満たすように素子部とリード線との境界に高度な防水処理を施す必要があり、温度センサ及び冷蔵庫のコストが増大する問題があった。また、リード線の被覆が破損するとリード線を流下する水により短絡する危険があり、安全性が低い問題もあった。
【０００７】
本発明は、簡単に温度センサの浸水を防止できるとともに安全性を向上できる冷蔵庫を提供することを目的とする。
【課題を解決するための手段】
【０００８】
上記目的を達成するために本発明は、温度を検知する素子を有して筒状に形成される素子部と前記素子部に接続されるリード線とを有した温度センサにより貯蔵室の室内温度を検知する冷蔵庫において、前記温度センサは前記素子部の軸方向を鉛直に配して前記貯蔵室の壁面に設けた凹部内に設置されるとともに、前記素子部が前記凹部の上面を貫通して前記リード線と前記素子部との境界を前記凹部の上方に配置したことを特徴としている。
【０００９】
この構成によると、貯蔵室の例えば背壁に凹部が凹設され、凹部内に温度センサが配される。温度センサは筒状の素子部を鉛直に配置され、凹部の上面を貫通する素子部の上端からリード線が延出される。貯蔵室内に水等がこぼれた際に凹部内に侵入した水は凹部の上面により遮られ、素子部とリード線との境界に到達しない。
【００１０】
また本発明は、上記構成の冷蔵庫において、発泡断熱材を充填して前記貯蔵室を形成する断熱箱体と、前記断熱箱体に凹設して前記貯蔵室に面して開口する配線収納部と、前記凹部を形成して前記配線収納部の開口を塞ぐパネルと、前記断熱箱体内に埋設されて前記配線収納部に設けた取出し口から引き出されるとともに前記リード線に接続される埋設電線とを備え、前記取出し口と前記凹部とを前記配線収納部の同じ側に偏って配置したことを特徴としている。
【００１１】
この構成によると、断熱箱体によって貯蔵室の例えば背面に配線収納部が凹設され、配線収納部には貯蔵室背面の一方に偏った取出し口から埋設電線が引き出される。配線収納部の前面の開口は凹部を有したパネルにより塞がれる。凹部は取出し口と同じ側に偏って貯蔵室背面に配され、凹部内に配される温度センサのリード線が取出し口から引き出される埋設電線に接続される。
【００１２】
また本発明は、上記構成の冷蔵庫において、前記パネルの中央部に凹設して照明灯が配される照明部と、前記照明部の前面を覆うとともに通気孔を有した透光性の照明カバーとを備え、前記取出し口と前記凹部とを前記照明部に対して一方に偏って配置したことを特徴としている。
【００１３】
この構成によると、配線収納部を覆うパネル中央部に照明部が凹設され、照明部の前面は通気孔を有する照明カバーにより覆われる。照明部には照明灯が配され、貯蔵室が照明される。埋設電線の取出し口と凹部とは照明部に対して左右の同じ側に配置されてリード線と埋設電線とが照明部の下方を通ることなく接続される。照明部内は通気孔を介して侵入する冷気により冷却される。照明部内に侵入した水や結露等により照明部内で発生した水は通気孔から排出される。
【００１４】
また本発明は、上記構成の冷蔵庫において、前記凹部が樹脂成形品から成り、前記凹部の上面を弾性変形可能な膜状に形成したことを特徴としている。この構成によると、温度センサの素子部は膜状の凹部の上面に押入され、該上面は弾性変形して素子部に密接する。
【００１５】
また本発明は、上記構成の冷蔵庫において、前記凹部の上方に前記リード線が嵌合する挿通孔を有したリード線支持部を設け、前記リード線支持部は弾性変形可能な膜状に形成された樹脂成形品から成ることを特徴としている。この構成によると、温度センサのリード線は膜状のリード線支持部に押入され、リード線支持部は弾性変形してリード線に密接する。
【００１６】
また本発明は、上記構成の冷蔵庫において、一端に開口部を有する有底筒状のキャップにより前記素子部を覆い、前記リード線が配される前記開口部を熱硬化性樹脂により封止したことを特徴としている。
【発明の効果】
【００１７】
本発明によると、温度センサは素子部の軸方向を鉛直に配され、素子部が凹部の上面を貫通してリード線と素子部との境界を凹部の上方に配置したので、凹部に侵入する水が凹部の上面によって遮られる。これにより、リード線と素子部との境界への水滴の付着が防止される。従って、素子部への浸水を簡単に防止して冷蔵庫のコストを削減することができる。また、リード線の被膜が破損してもリード線に水が付着しないため短絡を防止して冷蔵庫の安全性を向上することができる。
【００１８】
また本発明によると、断熱箱体に配線収納部を凹設して配線収納部の開口を塞ぐパネルに凹部を形成したので、上面を素子部が貫通する凹部を容易に実現することができる。また、埋設電線が引き出される取出し口と凹部とを配線収納部の同じ側に偏って配置したので、リード線を短縮して冷蔵庫のコストをより削減することができる。
【００１９】
また本発明によると、取出し口と凹部とを照明部に対して一方に偏って配置したので、照明部の下方にリード線が配されない。これにより、照明部に侵入した水や照明部で発生した水の滴下によるリード線の浸水を防止し、冷蔵庫の安全性をより向上することができる。
【００２０】
また本発明によると、凹部の上面を弾性変形可能な膜状に形成したので、凹部の上面が素子部に密着して凹部の上方への浸水を防止することができる。
【００２１】
また本発明によると、凹部の上方にリード線が嵌合する挿通孔を有したリード線支持部を設け、リード線支持部が弾性変形可能な膜状に形成されるので、リード線支持部がリード線に密着する。これにより、温度センサの上方から水滴が滴下してもリード線支持部により遮られ、リード線と素子部との境界への水滴の到達を防止することができる。
【００２２】
また本発明によると、有底筒状のキャップにより素子部を覆い、キャップの開口部を熱硬化性樹脂により封止したので、素子部内への浸水をより確実に防止することができる。
【発明を実施するための最良の形態】
【００２３】
以下に本発明の実施形態を図面を参照して説明する。図１、図２は一実施形態の冷蔵庫を示す斜視図及び正面図である。冷蔵庫１の本体部は発泡断熱材を充填した断熱箱体５によって区画される。冷蔵庫１の上部には中程を境に扉２ａ、２ｂによって観音開きされる冷蔵室２が設けられる。冷蔵室２の下方には扉３ａ、４ａによりそれぞれ開閉される野菜室３及び冷凍室４が左右に並設される。
【００２４】
冷蔵室２の背壁２ｃを形成する断熱箱体５の前面には照明部１２を有したパネル１０が設けられる。図３、図４は冷蔵室２の背壁２ｃのパネル１０部分を示す分解斜視図及び正面図である。また図５、図６はそれぞれ図４のＡ−Ａ断面図及びＢ−Ｂ断面図を示している。断熱箱体５は樹脂成形品の内箱によって冷蔵室２の内面が形成され、冷蔵室２の背壁２ｃに配線収納部５ａが凹設される。
【００２５】
配線収納部５ａはＰＰ等の軟質樹脂の成形品から成るパネル１０によって前面が覆われる。パネル１０の中央部には前面が開口する照明部１２が凹設される。照明部１２には照明灯１５が配され、照明部１２の前面は透光性の照明カバー１３により覆われる。照明カバー１３の下部には通気孔１３ａが設けられる。
【００２６】
照明灯１５の点灯によって冷蔵室２内が照明される。照明部１２内は通気孔１３ａを介して流入する冷蔵室２内の冷気によって冷却される。また、照明部１２内に侵入した水や結露等により照明部１２内で発生した水は通気孔１３ａから排出される。
【００２７】
パネル１０には照明部１２の側方に前面を開口した凹部１１が形成される。凹部１１には冷蔵室２の室内温度を検知する冷蔵室温度センサ２０が配される。配線収納部５ａには取出し口１４が照明部１２に対して凹部１１と同じ側に設けられる。断熱箱体５内に埋設した埋設電線１９は取出し口１４を介して配線収納部５ａ内に引き出される。埋設電線１９は照明灯１５及び冷蔵室温度センサ２０のリード線２２に接続される。これにより、埋設電線１９やリード線２２等の配線が配線収納部５ａ内に収納される。
【００２８】
図７は冷蔵室温度センサ２０の断面図を示している。冷蔵室温度センサ２０は素子部２１からリード線２２が導出される。素子部２１は温度を検知する素子（不図示）を有して筒状に形成される。リード線２２は素子部２１に接続して引き出され、塩化ビニル等の被膜が施される。素子部２１の端部は溶着部２３によってシールされ、素子部２１とリード線２２との境界からの浸水を防止する。
【００２９】
図８、図９は凹部１１の詳細を示す正面図及び上面図を示している。また、図１０は図８のＣ−Ｃ断面図を示している。凹部１１の側壁には複数のリブ１１ｃが突設される。冷蔵室温度センサ２０はリブ１１ｃに係止されて凹部１１内に配される。凹部１１の上面１１ａは厚さが１ｍｍ以下の膜状に形成され、軟質樹脂から成るため容易に弾性変形する。
【００３０】
上面１１ａには挿通孔１１ｂが形成され、冷蔵室温度センサ２０の素子部２１はリード線２２を上方にして挿通孔１１ｂに押入される。これにより、素子部２１は軸方向が鉛直に配されて凹部１１の上面１１ａを貫通し、素子部２１とリード線２２との境界が凹部１１の上方に配置される。また、凹部１１の上面１１ａは弾性変形して素子部２１に密接する。
【００３１】
パネル１０の背面には凹部１１の上方にリード線支持部１７が突設される。図１１はリード線支持部１７の上面図を示している。リード線支持部１７は厚さが１ｍｍ以下の膜状に形成され、軟質樹脂から成るため容易に弾性変形する。リード線支持部１７には略中央に挿通孔１７ｂが形成され、挿通孔１７ｂからリード線支持部１７の後端まで延びた切欠き１７ａが形成される。リード線２２は切欠き１７ａを介して挿通孔１７ｂに挿入される。リード線支持部１７の挿通孔１７ｂは弾性変形してリード線２２に密接する。
【００３２】
図１２、図１３は冷蔵庫１の回路図及びブロック図を示している。冷蔵庫１はマイコンを有した制御基板３０により各部が制御される。制御基板３０には変圧回路３１が設けられる。また、制御基板３０には電源３２、ドアスイッチ３３、冷蔵室温度センサ２０、冷凍室温度センサ３４、除霜温度センサ３５、表示部３６、照明灯１５、イオン発生装置３７、圧縮機３８、ドアヒータ３９、除霜用ヒータ４０、冷蔵室ファンモータ４１、冷凍室ファンモータ４２、冷却用ファンモータ４３、冷蔵室ダンパ４４が接続される。
【００３３】
電源３２は商用電源から成り、冷蔵庫１に電力を供給する。電源２の入力電圧は変圧回路３１により変圧され、各部に供給される。圧縮機３８はリレー回路３８ａ及び保護回路３８ｂを介して制御基板３０に接続され、冷凍サイクルを運転する。圧縮機３８には冷却器及び凝縮器（いずれも不図示）が接続され、冷凍サイクルの低温側となる冷却器と空気が熱交換して冷気が生成される。
【００３４】
ドアスイッチ３３は冷蔵室２、野菜室３、冷凍室４の各扉２ａ、２ｂ、３ａ、４ａの開閉を検知する。これにより、例えば扉２ａが開かれると照明灯１５が点灯する。また、各扉の開いた状態が継続されるとアラームが報知される。ドアヒータ３９は扉２ａ、２ｂ、３ａ、４ａに配され、扉２ａ、２ｂ、３ａ、４ａの結露を防止する。
【００３５】
冷凍室温度センサ３４は冷凍室４の室内温度を検知する。除霜用ヒータ４０はヒューズ４０ａを介して制御基板３０に接続され、冷却器の除霜を行う。除霜温度センサ３５は除霜時に冷却器の温度を検知して除霜用ヒータ４０を停止させる。表示部３６はＬＣＤを制御するＬＣＤ制御回路３６ａを有し、冷蔵庫１の運転状態を表示する。
【００３６】
冷凍室ファンモータ４２は冷凍室温度センサ３４の検知温度に応じて冷却器で生成した冷気を冷凍室４に送出する。冷蔵室ダンパ４４は冷却器で生成した冷気の通路を開閉し、冷蔵室温度センサ２０の検知温度に応じて冷蔵室２に冷気を導く際に開かれる。冷蔵室ファンモータ４１は冷蔵室ダンパ４４を開いた際に駆動され、冷却器で生成した冷気を冷蔵室２に送出する。冷却用ファンモータ４３は凝縮器及び圧縮機３８を冷却する。
【００３７】
イオン発生装置３７は冷蔵室２にプラスイオンとマイナスイオンとを送出し、冷蔵室２及び野菜室３内の除菌を行う。
【００３８】
上記構成の冷蔵庫１において、冷凍室４が冷凍室温度センサ３４によって所定温度よりも高温になったことを検知すると圧縮機３８及び冷凍室ファンモータ４２が駆動される。圧縮機３８の駆動によって冷却器で生成された冷気は冷凍室ファンモータ４２によって冷凍室４に送出される。冷凍室４が所定温度になると圧縮機３８及び冷凍室ファンモータ４２が停止される。
【００３９】
また、冷蔵室２が冷蔵室温度センサ２０によって所定温度よりも高温になったことを検知すると、冷蔵室ダンパ４４が開かれて圧縮機３８及び冷蔵室ファンモータ４１が駆動される。圧縮機３８の駆動によって冷却器で生成された冷気は冷蔵室ファンモータ４１によって冷蔵室２に送出される。冷蔵室２に送出された冷気は冷蔵室２及び及び野菜室３を流通する。冷蔵室２が所定温度になると冷蔵室ダンパ４４が閉じられ、圧縮機３８及び冷蔵室ファンモータ４１が停止される。
【００４０】
本実施形態によると、冷蔵室温度センサ２０（温度センサ）は素子部２１の軸方向を鉛直に配され、素子部２１が凹部１１の上面１１ａを貫通してリード線２２と素子部２１との境界を凹部１１の上方に配置したので、凹部１１に侵入する水が凹部１１の上面１１ａによって遮られる。これにより、リード線２２と素子部２１との境界への水滴の付着が防止される。従って、素子部２１への浸水を簡単に防止して冷蔵庫１のコストを削減することができる。また、リード線２２の被膜が破損してもリード線２２に水が付着しないため短絡を防止して冷蔵庫１の安全性を向上することができる。
【００４１】
また、断熱箱体５に配線収納部５ａを凹設して配線収納部５ａの開口を塞ぐパネル１０に凹部１１を形成したので、上面１１ａを素子部２１が貫通する凹部１１を容易に実現することができる。尚、凹部１１の前面に通気孔を有したカバーを設けてもよい。
【００４２】
また、埋設電線１９が引き出される取出し口１４と凹部１１とが配線収納部５ａの同じ側に偏って配置される。これにより、リード線２１を短縮して冷蔵庫１のコストをより削減することができる。
【００４３】
図１４に示すように、照明部１２に対して取出し口１４と凹部１１とを異なる側に配置してもよい。しかしながら、照明部１２に配線等を挿通する孔が設けられると、照明部１２に侵入した水や照明部１２で結露等により発生した水の滴下によってリード線２２が浸水する場合がある。この時、リード線２２の被覆が破損していると短絡する危険がある。このため、埋設電線１９の取出し口１４と凹部１１とを照明部１２に対して一方に偏って配置すると、リード線２２の浸水を防止して冷蔵庫１の安全性をより向上することができる。
【００４４】
また、凹部１１の上面１１ａを弾性変形可能な膜状に形成したので、上面１１ａが素子部２１に密着して凹部１１の上方への浸水を防止することができる。
【００４５】
また、凹部１１の上方のリード線支持部１７が弾性変形可能な膜状に形成されるので、リード線支持部１７がリード線２２に密着する。これにより、冷蔵室温度センサ２０の上方から水滴が滴下してもリード線支持部１７により遮られ、リード線２２と素子部２１との境界への水滴の到達を防止することができる。
【００４６】
尚、素子部２１を樹脂成形品等の有底筒状のキャップにより覆い、キャップの開口部を熱硬化性樹脂により封止してもよい。これにより、簡単な構成で素子部２１内への浸水をより確実に防止することができる。キャップの肉厚を１ｍｍ以上にすると破損しにくくなるためより望ましい。
【００４７】
本実施形態において、凹部１１を有したパネル１０を冷蔵室２の背壁２ｃに設けているが、側壁に設けてもよい。また、野菜室３や冷凍室４等の他の貯蔵室に凹部１１を設けてもよい。
【産業上の利用可能性】
【００４８】
本発明によると、貯蔵室の室内温度を検知する温度センサを備えた冷蔵庫に利用することができる。
【図面の簡単な説明】
【００４９】
【図１】本発明の実施形態の冷蔵庫を示す斜視図
【図２】本発明の実施形態の冷蔵庫を示す正面図
【図３】本発明の実施形態の冷蔵庫の冷蔵室の配線収納部を示す分解斜視図
【図４】本発明の実施形態の冷蔵庫の冷蔵室の配線収納部を示す正面図
【図５】図４のＡ−Ａ断面図
【図６】図４のＢ−Ｂ断面図
【図７】本発明の実施形態の冷蔵庫の冷蔵室温度センサを示す縦断面図
【図８】本発明の実施形態の冷蔵庫の冷蔵室の凹部を示す正面図
【図９】本発明の実施形態の冷蔵庫の冷蔵室の凹部を示す上面図
【図１０】図８のＣ−Ｃ断面図
【図１１】本発明の実施形態の冷蔵庫の冷蔵室のリード線支持部を示す上面図
【図１２】本発明の実施形態の冷蔵庫の冷蔵室の構成を示す回路図
【図１３】本発明の実施形態の冷蔵庫の冷蔵室の構成を示すブロック図
【図１４】本発明の実施形態の冷蔵庫の冷蔵室の他の配線収納部を示す正面図
【符号の説明】
【００５０】
１    冷蔵庫
２    冷蔵室
２ｃ  背壁
３    野菜室
４    冷凍室
５    断熱箱体
５ａ  配線収納部
１０    パネル
１１    凹部
１１ａ  上面
１２    照明部
１３    照明部カバー
１４    取出し口
１５    照明灯
１７    リード線支持部
１９    埋設電線
２０    冷蔵室温度センサ
２１    素子部
２２    リード線
３０    制御基板
３１    変圧回路
３２    電源
３３    ドアスイッチ
３４    冷凍室温度センサ
３５    除霜温度センサ
３６    表示部
３７    イオン発生装置
３８    圧縮機
３９    ドアヒータ
４０    除霜用ヒータ
４１    冷蔵室ファンモータ
４２    冷凍室ファンモータ
４３    冷却用ファンモータ
４４    冷蔵室ダンパ
【図１】
0005014952.tif 000002
【図２】
0005014952.tif 000003
【図３】
0005014952.tif 000004
【図４】
0005014952.tif 000005
【図５】
0005014952.tif 000006
【図６】
0005014952.tif 000007
【図７】
0005014952.tif 000008
【図８】
0005014952.tif 000009
【図９】
0005014952.tif 000010
【図１０】
0005014952.tif 000011
【図１１】
0005014952.tif 000012
【図１２】
0005014952.tif 000013
【図１３】
0005014952.tif 000014
【図１４】
0005014952.tif 000015